(57)【要約】  本発明は、コンテンツを再生する方法及び装置に関する。その方法は、ダウンロードされるコンテンツに関する情報を有する予め格納されたコンテンツを読み取るステップと、利用可能帯域を検出するステップと、ダウンロードされるコンテンツに関する情報に従ってダウンロードされるコンテンツをダウンロードする要求を送信し、その要求は帯域の情報を有するステップと、検出された帯域に従ってダウンロードされるコンテンツを受信するステップと、予め格納されたコンテンツと結合してダウンロードされるコンテンツを再生するステップとを有する。本発明による方法及び装置は、接続されたネットワーク再生装置の現在利用可能な帯域の自動的なリアルタイム検出を採用しており、ダウンロードを必要とするコンテンツの品質を変更するため、ユーザ自身による品質選択を原因とするトラブルを回避する一方で、シームレスな再生が実現可能になる。
2007526553.tif 000002
【特許請求の範囲】
【請求項１】
コンテンツを再生する方法であって：
ダウンロードされるコンテンツに関する情報を有する予め格納されたコンテンツを読み取るステップと；
利用可能帯域を検出するステップと；
前記ダウンロードされるコンテンツに関する情報に従ってダウンロード要求を送信し、前記要求は前記帯域の情報を有するステップと；
前記検出された帯域に従ってダウンロードコンテンツを受信するステップと；
前記予め格納されたコンテンツと結合して前記ダウンロードコンテンツを再生するステップと；
を有する方法。
【請求項２】
請求項１に記載の方法であって、
前記要求は、前記ダウンロードされるコンテンツが格納されたウェブサイトのURLを有する方法。
【請求項３】
請求項１に記載の方法であって、
前記検出するステップは、特定の期間内に送信された利用可能な情報のスループットを検出するように構成される方法。
【請求項４】
コンテンツを再生する方法であって：
ダウンロードされるコンテンツに関する情報を有する予め格納されたコンテンツを読み取るステップと；
利用可能帯域を検出するステップと；
前記検出された帯域の情報と前記ダウンロードされるコンテンツに関する情報とに従って前記ダウンロードされるコンテンツの関連品質を選択するステップと；
前記ダウンロードされるコンテンツに関する情報に従ってダウンロード要求を送信し、前記要求は前記関連品質を有するステップと；
前記関連品質に従ってダウンロードコンテンツを受信するステップと；
前記予め格納されたコンテンツと結合して前記ダウンロードコンテンツを再生するステップと；
を有する方法。
【請求項５】
請求項４に記載の方法であって、
前記ダウンロードされるコンテンツに関する情報は、光ディスクのIDと、前記ダウンロードされるコンテンツが格納されたウェブサイトのURLと、前記ダウンロードされるコンテンツの品質メニューとを有し、
前記品質メニューは、前記ダウンロードされるコンテンツの複数の品質選択肢を有する方法。
【請求項６】
請求項４に記載の方法であって、
前記検出するステップは、特定の期間内に送信された利用可能な情報のスループットを検出するように構成される方法。
【請求項７】
コンテンツを再生する方法であって、
ダウンロードされるコンテンツに関する情報を有する予め格納されたコンテンツを読み取るステップと；
利用可能帯域を検出するステップと；
前記ダウンロードされるコンテンツに関する情報に従って第１のダウンロード要求を送信し、前記要求は、前記ダウンロードされるコンテンツの複数の品質情報をダウンロードすることを有するステップと；
前記検出された帯域情報と、前記ダウンロードされるコンテンツに関する情報とに従って、前記ダウンロードされるコンテンツの関連品質情報を選択するステップと；
第２のダウンロード要求を送信し、前記要求は前記関連品質情報を有するステップと；
前記関連品質に従ってダウンロードコンテンツを受信するステップと；
前記予め格納されたコンテンツと結合して前記ダウンロードコンテンツを再生するステップと；
を有する方法。
【請求項８】
請求項７に記載の方法であって、
前記ダウンロードされるコンテンツに関する情報は、光ディスクのIDと、前記ダウンロードされるコンテンツが格納されたウェブサイトのURLとを有する方法。
【請求項９】
請求項８に記載の方法であって、
前記検出するステップは、特定の期間内に送信された利用可能な情報のスループットを検出するように構成される方法。
【請求項１０】
コンテンツを再生する装置であって：
ダウンロードされるコンテンツに関する情報を有する予め格納されたコンテンツを読み取る読取手段と；
利用可能帯域を検出する検出手段と；
前記ダウンロードされるコンテンツに関する情報に従ってダウンロード要求を送信し、前記要求は前記帯域の情報を有する送信手段と；
前記検出された帯域に従ってダウンロードコンテンツを受信する受信手段と；
前記予め格納されたコンテンツと結合して前記ダウンロードコンテンツを再生する再生手段と；
を有する装置。
【請求項１１】
請求項１０に記載の装置であって、
前記要求は、前記ダウンロードされるコンテンツが格納されたウェブサイトのURLを有する装置。
【請求項１２】
請求項１０に記載の装置であって、
前記検出手段は、特定の期間内に送信された利用可能な情報のスループットを検出するように構成される装置。
【請求項１３】
格納されたコンテンツを再生する方法であって：
ダウンロードされるコンテンツに関する情報を有する予め格納されたコンテンツを読み取る読取手段と；
利用可能帯域を検出する検出手段と；
前記検出された帯域の情報と前記ダウンロードされるコンテンツに関する情報とに従って前記ダウンロードされるコンテンツの関連品質を選択する選択手段と；
前記ダウンロードされるコンテンツに関する情報に従ってダウンロード要求を送信し、前記要求は前記関連品質を有する送信手段と；
前記関連品質に従ってダウンロードコンテンツを受信する受信手段と；
前記予め格納されたコンテンツと結合して前記ダウンロードコンテンツを再生する再生手段と；
を有する装置。
【請求項１４】
請求項１３に記載の装置であって、
前記ダウンロードされるコンテンツに関する情報は、光ディスクのIDと、前記ダウンロードされるコンテンツが格納されたウェブサイトのURLと、前記ダウンロードされるコンテンツの品質メニューとを有し、
前記品質メニューは、前記ダウンロードされるコンテンツの複数の品質選択肢を有する装置。
【請求項１５】
請求項１３に記載の装置であって、
前記検出手段は、特定の期間内に送信された利用可能な情報のスループットを検出するように構成される装置。
【請求項１６】
コンテンツを再生する装置であって、
ダウンロードされるコンテンツに関する情報を有する予め格納されたコンテンツを読み取る読取手段と；
利用可能帯域を検出する検出手段と；
ダウンロード要求を２回送信し、第１の前記ダウンロード要求は、前記ダウンロードされるコンテンツの複数の品質情報をダウンロードすることを有し、第２の前記ダウンロード要求は、前記ダウンロードされるコンテンツの関連品質情報を有する送信手段と；
前記検出された帯域情報と、前記第２のダウンロード要求に対して前記ダウンロードされるコンテンツに関する情報とに従って、前記ダウンロードされるコンテンツの関連品質を選択する選択手段と；
前記関連品質に従ってダウンロードコンテンツを受信する受信手段と；
前記予め格納されたコンテンツと結合して前記ダウンロードコンテンツを再生する再生手段と；
を有する装置。
【請求項１７】
請求項１６に記載の装置であって、
前記ダウンロードされるコンテンツに関する情報は、光ディスクのIDと、前記ダウンロードされるコンテンツが格納されたウェブサイトのURLとを有する装置。
【請求項１８】
請求項１７に記載の装置であって、
前記検出手段は、特定の期間内に送信された利用可能な情報のスループットを検出するように構成される装置。
【発明の詳細な説明】
【技術分野】
【０００１】
本発明は、コンテンツを再生する方法及び装置に関し、特にネットワークの利用可能帯域と接続された再生装置とを検出し、適切な品質のコンテンツをダウンロードし、それを再生する方法及び装置に関する。
【背景技術】
【０００２】
光ディスク及び光ディスク再生技術の急速な発展で、再生処理中にプレイヤにダウンロードされて、再生時にプレイヤと協調するためのより多くのコンテンツがネットワークサーバに格納されている。
【０００３】
ダウンロードされたコンテンツは、アプリケーションとオーディオとサブタイトルとでもよい。アプリケーションはJAVA（登録商標）言語又は他のプログラミング言語で記述される。JAVA（登録商標）言語で記述されたアプリケーションは、広告、ゲーム、アニメーション及びJAVA（登録商標）言語で記述された光ディスクの再生処理を制御する実行可能アプリケーションである。
【０００４】
アプリケーションと更なるオーディオとサブタイトルとをネットワークサーバに格納し、いつでも光ディスク再生時に協調するプレイヤ（例えばBlue-Disc及び対応するプレイヤ、eDVD（Enhanced  DVD）及び対応するプレイヤ）にダウンロードすることは、多くの光ディスク及び対応するプレイヤで広く使用されている。
【０００５】
現在、ユーザに選択肢を提供するダイアログボックスは、ネットワークサーバからコンテンツをダウンロードして光ディスク再生時に協調するときに、通常にスクリーンに見られ得る。このダイアログボックスは、現在のネットワーク接続形式（ダイヤルアップ、ISDN、ブロードバンド接続等）に基づいて関連帯域（又はスループット）を選択し、帯域の選択肢をネットワークサーバに送信して情報をダウンロードすることを必要とすることをユーザに求める。情報の品質（ビットレート）は、帯域に対して適応的であるため、光ディスク再生時にシームレスに協調するための適切な品質の情報を使用する。例えば、ダイヤルアップ接続を選択した場合、利用可能ネットワーク接続帯域は比較的小さい。この場合、ユーザは、光ディスク再生時に協調するための現在の帯域に適した品質のオーディオ情報をダウンロードするように選択してもよい。ユーザがブロードバンドネットワークに接続している場合、ネットワーク接続の帯域は比較的大きいため、ユーザは、光ディスク再生時に協調するための現在の帯域に適したオーディオ、アニメーション又はゲームをダウンロードするように選択することができる。
【０００６】
しかし、ダイヤルアップ又はブロードバンド接続が選択されていようといまいと、双方のネットワーク接続帯域は動的に変化する。現在使用中の接続形式に従って、ユーザはそれに対応する品質の情報をダウンロードするように帯域を選択する。しかし、ネットワーク接続帯域は変化することがある。例えば多い（又は少ない）装置又はユーザがネットワークに接続しているため、ネットワーク接続帯域が大きく（又は小さく）なる。その結果、選択された品質はネットワーク接続帯域に適さなくなり、現在のネットワーク接続帯域を十分に利用すること、又はシームレスな光ディスク再生を実施することが困難になる。
【０００７】
更に、ダイヤルアップ接続及びブロードバンド接続の最大帯域が何であるかのように、ユーザは前記の選択処理の間に大量の技術を認識するべきである。従って、シームレスな再生を実施するために、ユーザは適切な品質選択を行ってもよい。しかし、実際には全てのユーザが前記の技術を認識しているとは限らない。認識していない場合には、誤った選択肢を選択することがある。
【０００８】
例えば、ユーザは、現在の実際の帯域に従って光ディスク再生時に協調するための良好な品質でコンテンツをダウンロードしてもよいが、選択された帯域が実際の帯域より小さいため、光ディスク再生時に協調するための悪い品質でコンテンツをダウンロードする結果になる。従って、ユーザに悪い再生をもたらし、ユーザが光ディスク情報を閲覧する関心に影響を及ぼす。他方、現在の実際の帯域の観点では、ユーザは、光ディスク再生時に悪い品質のコンテンツしかダウンロードすることができないが、選択された品質が実際のものより良く、光ディスク再生時に協調するための現在の帯域に適したものより良い品質でコンテンツをダウンロードする結果になる。そのため、ダウンロードされるコンテンツは、光ディスクからのコンテンツ読み取り指示から容易に遅延することになり、同期再生を実現することが困難になる。
【発明の開示】
【発明が解決しようとする課題】
【０００９】
従って、前記の欠点を回避するために、コンテンツをダウンロードする改善した方法及び装置が必要になる。
【課題を解決するための手段】
【００１０】
本発明は、リアルタイムでネットワーク接続帯域を動的に検出してコンテンツを再生する方法及び装置を提供する。
【００１１】
前記の本発明によるコンテンツを再生する方法は、ダウンロードされるコンテンツに関する情報を有する予め格納されたコンテンツを読み取るステップと、利用可能帯域を検出するステップと、ダウンロードされるコンテンツに関する情報に従ってダウンロードされるコンテンツをダウンロードする要求を送信し、その要求は帯域の情報を有するステップと、検出された帯域に従ってダウンロードされるコンテンツを受信するステップと、予め格納されたコンテンツと結合してダウンロードされるコンテンツを再生するステップとを有する。
【００１２】
本発明によるコンテンツを再生する他の方法は、ダウンロードされるコンテンツに関する情報を有する予め格納されたコンテンツを読み取るステップと、利用可能帯域を検出するステップと、検出された帯域の情報とダウンロードされるコンテンツに関する情報とに従ってダウンロードされるコンテンツの関連品質を選択するステップと、ダウンロードされるコンテンツに関する情報に従ってダウンロードされるコンテンツをダウンロードする要求を送信し、その要求は関連品質を有するステップと、関連品質に従ってダウンロードされるコンテンツを受信するステップと、予め格納されたコンテンツと結合してダウンロードされるコンテンツを再生するステップとを有する。
【００１３】
本発明によるコンテンツを再生する装置は、ダウンロードされるコンテンツに関する情報を有する予め格納されたコンテンツを読み取る手段と、利用可能帯域を検出する手段と、ダウンロードされるコンテンツに関する情報に従ってダウンロードされるコンテンツをダウンロードする要求を送信し、その要求は帯域の情報を有する送信手段と、検出された帯域に従ってダウンロードされるコンテンツを受信する受信手段と、予め格納されたコンテンツと結合してダウンロードされるコンテンツを再生する再生手段とを有する。
【００１４】
本発明による前記の方法及び装置は、接続されたネットワーク再生装置の現在利用可能な帯域の自動的なリアルタイム検出を採用しており、ダウンロードを必要とするコンテンツの品質を変更するため、ユーザ自身による品質選択を原因とするトラブルを回避する一方で、シームレスな再生が実現可能になる。
【発明を実施するための最良の形態】
【００１５】
本発明の他の目的及び利点並びにその完全な理解は、添付図面と共に以下の説明及び特許請求の範囲を参照して明瞭且つ明確になる。
【００１６】
本発明について例示及び図面で更に説明する。
【００１７】
類似の又は対応する特徴及び機能は、全ての図面で同じ参照符号で示されている。
【００１８】
図１は、本発明による光ディスク再生システムの例示的な実施例の構造の概略図である。光ディスク再生システムは、光ディスク10と、光ディスクを再生するプレイヤ20と、ネットワークサーバ60とを有し、プレイヤ20はインターネットを介してネットワークサーバ60と接続されている。プレイヤ20は、ネットワークサーバ60から情報をダウンロードし、その品質（又はビットレート）は現在のネットワーク接続帯域（又はスループット）に対応する。それにより、その情報は、光ディスク10に格納された情報と結合して再生され得る。
【００１９】
図２は、図１に示すプレイヤの第１の例示的な実施例の構造の概略図である。プレイヤ20は、読取装置21と、ネットワーク通信装置22と、デコード装置23と、出力装置24と、バッファ装置25と、帯域検出装置26とを有する。プレイヤ20の他の従来の構成要素は図１に図示していない。
【００２０】
読取装置21は、光ディスク情報を読み出すために使用される。読取装置21により読み出された情報は、光ディスクに格納されて再生に必要な情報と、光ディスクのID（光ディスク識別表示又は番号）と、ダウンロードを必要とするコンテンツに対応するURLとを有する。プレイヤでは、光ディスクに格納されて再生される情報は、デコード装置230に直接配信され、光ディスクのID及びダウンロードを必要とするコンテンツに対応するURLは、光ディスク再生時に協調する何らかの補助情報（広告、ゲーム、アニメーション、オーディオ及びサブタイトル等）を含み、ネットワーク通信装置22に配信される。
【００２１】
帯域検出装置26は、リアルタイムでプレイヤ20とネットワークサーバ30との間の接続帯域を検出し、検出されたネットワーク接続帯域をネットワーク通信装置22に送信するために使用される。プレイヤが動作している場合、帯域検出装置26は、毎秒ネットワークサーバからネットワーク通信装置22に送信される利用可能情報に従って、現在のネットワーク接続帯域を計算する。ネットワークを介してダウンロードされたこれらの情報は、通常ではバッファ装置25にまず入力されて再生されるため、現在のネットワーク接続帯域は、毎秒バッファ装置25に入る利用可能情報に従って計算可能である。帯域検出装置26の機能は、従来の光ディスクプレイヤのプロセッサを介して実装可能である。
【００２２】
ネットワーク通信装置22は、光ディスクのIDと、読取装置21により送信されたコンテンツをダウンロードするURLとを受信するために使用され、また、帯域検出装置26により送信された現在のネットワーク接続帯域を受信するためにも使用される。ネットワーク通信装置22は、送信装置27と受信装置28とを有する。送信装置27は、ダウンロード要求を送信するために使用され、受信装置28は、ダウンロード要求に関する情報を受信するために使用される。送信されたダウンロード要求は、ダウンロードに必要なコンテンツのURLと、光ディスクのIDと、現在のネットワーク接続帯域の情報とを有する。本発明の第１の実施例によれば、ネットワーク通信22は、帯域が変化しているときに、変化した帯域情報とダウンロード要求とをネットワークサーバに送信する。
【００２３】
そのダウンロード要求がネットワークサーバに送信された後に、ネットワークサーバは、現在のネットワーク帯域に基づいて、ダウンロードを必要とするコンテンツの品質選択肢から現在の帯域に適した品質を選択する。前記の選択処理は以下のように実装されてもよい。ダウンロードを必要とする情報は、光ディスクコンテンツプロバイダにより許可された光ディスクコンテンツプロバイダ又はベンダによりネットワークサーバにアップロードされる。ダウンロードを必要とするそれぞれのコンテンツは、異なる品質選択肢を有する１つの品質選択メニューに対応する。
【００２４】
例えば、ネットワークサーバに格納されたダウンロードを必要とするコンテンツは、ディレクタの注釈であるため、対応するメニューは以下の選択肢を有する。A.256Kbpsのビットレートで、ディレクタの注釈を表現するために非常に高品質でオーディオを使用する。B.64Kbpsのビットレートで、ディレクタの注釈を表現するために非常に悪い品質でオーディオを使用する。C.20Kbpsのビットレートで、ディレクタの注釈を表現するためにテキストに基づくサブタイトルを使用する。それにより、ネットワークサーバは、現在の帯域に適合して情報をダウンロードし、現在のネットワーク接続帯域を受信するときにシームレスな再生を実施するように、メニューから自動的に選択する。
【００２５】
バッファ装置25は、ネットワーク通信装置22の受信装置28によりダウンロードされた情報をバッファ及び受信するために使用される。バッファ装置25により出力されるダウンロードされたコンテンツ及び読取装置21により読み出された光ディスク情報は、プレイヤが動作している時点でデコード装置23によりデコードされ、出力装置24は、受信した光ディスク情報とダウンロードされたコンテンツとを同期して出力する。
【００２６】
第１の実施例では、プレイヤ20の各構成要素の機能は、プロセッサ（図示せず）と結合してJAVA（登録商標）アプリケーションにより制御されてもよい。
【００２７】
プレイヤ20による帯域のリアルタイム検出を通じて、ネットワークサーバ60は、ダウンロードを必要とするコンテンツの品質選択メニューから、検出された帯域に従った帯域と適合して情報をダウンロードする品質を選択し、ダウンロードを必要とするコンテンツをプレイヤに選択された品質で送信することができる。本発明によれば、プレイヤは、再生効率を改善するために、ネットワーク接続状態に従ってリアルタイムで情報をダウンロードする品質を調整してもよい。
【００２８】
図３は、本発明の第２の例示的な実施例の構造の概略図を示している。プレイヤ30は、読取装置21と、ネットワーク接続装置22と、デコード装置23と、出力装置24と、バッファ装置25と、帯域検出装置26と、選択装置31とを有し、プレイヤ30の他の従来の構成要素は図１に図示していない。
【００２９】
図３に示すプレイヤ30は、以下の２つの方法で再生機能を実施することができる。
【００３０】
例１：
例１では、ダウンロードを必要とするコンテンツの品質選択メニューが光ディスクに格納されている。この場合、読取装置21により読み出された情報は、光ディスクに格納され、再生に必要なコンテンツと、光ディスクのIDと、ダウンロードを必要とするコンテンツに対応するURLと、ダウンロードを必要とするコンテンツの品質選択メニューとを有し、品質選択メニューは第１の実施例で説明したものと同じである。
【００３１】
帯域検出装置26は、（第１の実施例で説明したように）リアルタイムで現在の帯域を検出するために使用され、帯域を選択装置31に転送する。選択装置31に対応するAPI（アプリケーションインタフェース）が格納されている。
【００３２】
ネットワーク通信装置22は、送信装置27と、受信装置28とを有する。読取装置21からの品質選択メニューは、ネットワーク通信装置22を通じて選択装置31に出力されてもよい。次に、選択装置31は、ダウンロードを必要とするコンテンツの品質選択メニューから現在の帯域に適合した品質を選択し、選択された品質をネットワーク通信装置22に送信する。
【００３３】
ネットワーク通信装置22の送信装置27は、ダウンロード要求をネットワークサーバ60（図１に示す）に送信する。そのダウンロード要求は、光ディスクのIDと、ダウンロードを必要とするコンテンツに対応するURLと、コンテンツをダウンロードする品質とを有する。従って、ネットワークサーバは、現在の帯域に適切な品質を有するダウンロード要求に従って、プレイヤに必要なコンテンツを送信することができる。
【００３４】
帯域検出装置26及び選択装置31の機能は、従来の光ディスクプレイヤのプロセッサを通じて実装可能である。
【００３５】
例２：
例２では、ダウンロードを必要とするコンテンツの品質選択メニューは、光ディスクではなく、ネットワークサーバに格納されている。この場合、帯域検出装置26は、検出された帯域情報を選択装置31に転送する。ネットワーク通信装置22の送信装置27は、要求をネットワークサーバに転送し、品質メニューをダウンロードする。その要求は、光ディスクのIDと、ダウンロードを必要とするコンテンツに対応するURLとを有する。
【００３６】
ネットワークサーバがダウンロード要求を受信した後に、それはダウンロードを必要とするコンテンツの品質選択メニューの全てをネットワーク通信装置22に転送する。ネットワーク通信装置22は、受信した品質選択メニューを選択装置31に転送する。選択装置31は、帯域検出装置26により検出された現在の帯域に従って、ダウンロードを必要とするコンテンツの現在の品質メニューからこの帯域に適合した品質を選択する。
【００３７】
ネットワーク通信装置22の送信装置27は、ダウンロード要求を再び送信し、そのダウンロード要求は、光ディスクのIDと、ダウンロードを必要とするコンテンツに対応するURLと、コンテンツをダウンロードする品質とを有する。従って、ネットワークサーバは、ダウンロード要求に従って、要求されたコンテンツをプレイヤに送信することができる。そのコンテンツは、現在の帯域に適切な品質を有する。
【００３８】
本発明の第２の実施例のプレイヤ30は、現在のネットワーク接続帯域をリアルタイムで検出することができるだけでなく、帯域に従ってダウンロードに必要な関連品質を動的に選択し、その品質をネットワークサーバに送信することができる。従って、プレイヤは、再生効率を改善するために、適切な品質でダウンロードされるコンテンツを受信することができる。
【００３９】
図４は、本発明の第１の実施例による再生処理を示したフローチャートである。まず、光ディスク情報が読み出される（ステップS400）。その光ディスク情報は、光ディスクに格納され、再生される必要のあるコンテンツ、光ディスクのID、及びダウンロードを必要とするコンテンツに対応するURL等を有する。次に、現在の利用可能なネットワーク接続帯域がリアルタイムで検出される（ステップS410）。すなわち、特定の期間内に（例えば毎秒）ネットワークサーバから送信された利用可能な情報を検出する。このステップは、光ディスク再生の全体の処理で実行される。
【００４０】
次に、ダウンロード要求がネットワークサーバに送信され、光ディスク再生時に協調するコンテンツをダウンロードするように要求する。その要求は、光ディスクのIDと、ダウンロードを必要とするコンテンツのURLと、現在のネットワーク帯域情報とを有する（ステップS420）。
【００４１】
次に、ネットワークサーバにより返信されたダウンロードを必要とするコンテンツを受信する（ステップS430）。受信したダウンロードコンテンツは、現在のネットワーク接続帯域に従って、対応する品質でネットワークサーバにより検出される。
【００４２】
最後に、ダウンロードされた情報をデコードし、光ディスクから再生情報が読み出され、シームレスな再生を実施する（ステップS440）。
【００４３】
図５は、本発明の他の実施例による再生処理を示すフローチャートである。まず、光ディスクに格納されたコンテンツを含み、再生に必要な光ディスク情報と、光ディスクのIDと、ダウンロードを必要とするコンテンツの対応するURLとを読み取る（ステップS550）。
【００４４】
次に、ダウンロード要求がネットワークサーバに送信され、ダウンロードを必要とするコンテンツの品質選択メニューの全てをダウンロードすることを要求する。その要求は、光ディスクのID及びURL等を有する（ステップS510）。
【００４５】
しかし、ダウンロードを必要とするコンテンツの品質選択メニューの全てが光ディスクに予め格納されている場合、ステップS500で読み出された光ディスク情報はまた、品質メニューを有してもよい。この場合、ステップS510が省略されてもよい。
【００４６】
その後、現在のネットワーク接続帯域がリアルタイムで検出される（ステップS520）。そのステップは図４のステップS410と同様である。検出された現在のネットワーク接続帯域に従って、ダウンロードを必要とするコンテンツの受信した品質メニューから、対応する品質選択肢が選択される（ステップS530）。
【００４７】
次に、ダウンロード要求が送信され（ステップS540）、光ディスク再生時に協調する情報をダウンロードすることを要求する。そのダウンロード要求は、光ディスクのIDと、ダウンロードを必要とするコンテンツのURLと、ダウンロードを必要とするコンテンツの品質選択肢とを有する。
【００４８】
最後に、ダウンロード要求のコンテンツに対応する情報が受信され（ステップS550）、シームレスな再生を実施するために、ダウンロード情報と光ディスクの対応する情報とがデコードされる（ステップS560）。
【００４９】
本発明は、ダウンロードを必要とするコンテンツの品質を自動的に選択するために、現在の利用可能帯域の自動的なリアルタイムの動的検出を採用するため、本発明の光ディスクプレイヤ及び再生方法は、ユーザが自分で品質を選択したときに生じ得るトラブル及び誤りを回避する一方で、シームレスな再生を実現することができる。
【００５０】
更に、本発明により開示されたリアルタイムでネットワーク接続帯域を検出する装置及び方法はまた、ネットワークPC（パーソナルコンピュータ）、ネットワーク移動電話等のように、他の分野にも適用され得る。
【００５１】
本発明について特定の実施例と結合して説明したが、前記の説明に従って多数の置換、変更及び変形が行われてもよいことが、当業者に明らかである。従って、本発明は、特許請求の範囲の要旨及び範囲にあるこれらの置換、変更及び変形の全てを有することを意図する。
【図面の簡単な説明】
【００５２】
【図１】本発明による光ディスク再生システムの例示的な実施例の構造の概略図
【図２】図１に示すプレイヤの第１の例示的な実施例の構造の概略図
【図３】図１に示すプレイヤの第２の例示的な実施例の構造の概略図
【図４】図２のプレイヤが光ディスクを再生する処理を示したフローチャート
【図５】図３のプレイヤが光ディスクを再生する処理を示したフローチャート
【図１】
2007526553.tif 000003
【図２】
2007526553.tif 000004
【図３】
2007526553.tif 000005
【図４】
2007526553.tif 000006
【図５】
2007526553.tif 000007
【国際調査報告】
2007526553.tif 000008
2007526553.tif 000009
2007526553.tif 000010